(57)【要約】【課題】使用者が、簡単かつ確実に、コンテンツのジャンルを判断できるようにする。【解決手段】グラフィックチップ１５は、ビデオＡ／Ｄ変換部３から供給された動画像のデータ、またはＭＰＥＧビデオデコーダ１３から供給された動画像のデータから、静止画像を生成する。ＣＰＵ６は、コンテンツのジャンルに対応させて、生成した静止画像を設定する。ＣＰＵ６は、コンテンツの内容を示すデータを表示する場合、データに対応させて、コンテンツのジャンルに対応して設定されている静止画像を表示するように表示を制御する。本発明は、録画再生装置に適用できる。【選択図】　　　図２
2004080572.tif 000002
【特許請求の範囲】
【請求項１】
動画像から静止画像を生成する生成手段と、
コンテンツのジャンルに対応させて、生成した前記静止画像を設定する設定手段と、
前記コンテンツの内容を示すデータを表示する場合、前記データに対応させて、前記コンテンツのジャンルに対応して設定されている前記静止画像を表示するように表示を制御する表示制御手段と
を含むことを特徴とする再生装置。
【請求項２】
前記動画像を記録する記録手段と、
前記動画像上の時刻であって、前記生成手段により前記静止画像が生成される時刻を調整する調整手段と
をさらに含み、
前記生成手段は、記録されている前記動画像であって、前記時刻における前記動画像から、前記静止画像を生成する
ことを特徴とする請求項１に記載の再生装置。
【請求項３】
動画像から静止画像を生成する生成ステップと、
コンテンツのジャンルに対応させて、生成した前記静止画像を設定する設定ステップと、
前記コンテンツの内容を示すデータを表示する場合、前記データに対応させて、前記コンテンツのジャンルに対応して設定されている前記静止画像を表示するように表示を制御する表示制御ステップと
を含むことを特徴とする再生方法。
【請求項４】
動画像から静止画像を生成する生成ステップと、
コンテンツのジャンルに対応させて、生成した前記静止画像を設定する設定ステップと、
前記コンテンツの内容を示すデータを表示する場合、前記データに対応させて、前記コンテンツのジャンルに対応して設定されている前記静止画像を表示するように表示を制御する表示制御ステップと
を含むことを特徴とする再生処理をコンピュータに実行させるプログラムが記録されている記録媒体。
【請求項５】
動画像から静止画像を生成する生成ステップと、
コンテンツのジャンルに対応させて、生成した前記静止画像を設定する設定ステップと、
前記コンテンツの内容を示すデータを表示する場合、前記データに対応させて、前記コンテンツのジャンルに対応して設定されている前記静止画像を表示するように表示を制御する表示制御ステップと
をコンピュータに実行させることを特徴とするプログラム。
【発明の詳細な説明】
【０００１】
【発明の属する技術分野】
本発明は、再生装置および方法、記録媒体、並びにプログラムに関し、特に、コンテンツを再生する再生装置および方法、記録媒体、並びにプログラムに関する。
【０００２】
【従来の技術】
放送される番組を案内するためにＥＰＧ（Ｅｌｅｃｔｒｉｃ　Ｐｒｏｇｒａｍ　Ｇｕｉｄｅ）が広く利用されている。
【０００３】
ＥＰＧにおいて、番組のジャンルに対応して、特定の色彩、または特定のマークが表示され、使用者は、色彩またはマークにより番組の内容を判断する。
【０００４】
図１は、従来のＥＰＧの表示を示す図である。番組のジャンルが、スポーツの野球であるとき、従来のＥＰＧにおいて、番組欄の背景は、青色で表示され、番組欄に、四角の内側に、スポーツを示す”ス”を配置したマークが表示される。
【０００５】
使用者は、番組の枠の背景の青色、またはマークから、番組のジャンルが野球であることを認識する。
【０００６】
【発明が解決しようとする課題】
しかしながら、放送される番組、または記録されている動画像などのコンテンツのジャンルを、背景の色またはマークで表示する場合、使用者には、様々な色彩および複数のマークの意味を記憶して、判断しなければならないという負担が強いられる。
【０００７】
また、色彩およびマークのみでは、色彩またはマークが近似しているときなど、番組の内容が誤って認識されてしまうという可能性がある。
【０００８】
本発明はこのような状況に鑑みてなされたものであり、使用者が、簡単かつ確実に、コンテンツのジャンルを判断できるようにすることを目的とする。
【０００９】
【課題を解決するための手段】
本発明の再生装置は、動画像から静止画像を生成する生成手段と、コンテンツのジャンルに対応させて、生成した静止画像を設定する設定手段と、コンテンツの内容を示すデータを表示する場合、データに対応させて、コンテンツのジャンルに対応して設定されている静止画像を表示するように表示を制御する表示制御手段とを含むことを特徴とする。
【００１０】
再生装置は、動画像を記録する記録手段と、動画像上の時刻であって、生成手段により静止画像が生成される時刻を調整する調整手段とをさらに設け、生成手段は、記録されている動画像であって、時刻における動画像から、静止画像を生成するようにすることができる。
【００１１】
本発明の再生方法は、動画像から静止画像を生成する生成ステップと、コンテンツのジャンルに対応させて、生成した静止画像を設定する設定ステップと、コンテンツの内容を示すデータを表示する場合、データに対応させて、コンテンツのジャンルに対応して設定されている静止画像を表示するように表示を制御する表示制御ステップとを含むことを特徴とする。
【００１２】
本発明の記録媒体のプログラムは、動画像から静止画像を生成する生成ステップと、コンテンツのジャンルに対応させて、生成した静止画像を設定する設定ステップと、コンテンツの内容を示すデータを表示する場合、データに対応させて、コンテンツのジャンルに対応して設定されている静止画像を表示するように表示を制御する表示制御ステップとを含むことを特徴とする。
【００１３】
本発明のプログラムは、動画像から静止画像を生成する生成ステップと、コンテンツのジャンルに対応させて、生成した静止画像を設定する設定ステップと、コンテンツの内容を示すデータを表示する場合、データに対応させて、コンテンツのジャンルに対応して設定されている静止画像を表示するように表示を制御する表示制御ステップとをコンピュータに実行させることを特徴とする。
【００１４】
本発明の再生装置および方法、記録媒体、並びにプログラムにおいては、動画像から静止画像が生成され、コンテンツのジャンルに対応させて、生成した静止画像が設定される。そして、コンテンツの内容を示すデータを表示する場合、データに対応させて、コンテンツのジャンルに対応して設定されている静止画像が表示される。
【００１５】
コンテンツとは、使用者にとって有用な情報をいう。コンテンツは、受信されるものであっても、記録されているものであってもよい。
【００１６】
コンテンツのジャンルとは、コンテンツの分類に対応したコンテンツの特徴をいう。
【００１７】
再生装置は、独立した装置であっても良いし、記録再生装置の再生処理を行うブロック、または受信装置の再生処理を行うブロックであってもよい。
【００１８】
【発明の実施の形態】
図２は、本発明に係る録画再生装置の一実施の形態の構成を示す図である。
【００１９】
チューナ１は、無線または有線により放送局から送信された番組を受信する。チューナ１は、受信し、選択した番組に対応する、アナログ信号である音声の信号をオーディオＡ／Ｄ（Ａｎａｌｏｇ　ｔｏ　Ｄｉｇｉｔａｌ）変換部２に供給すると共に、受信し、選択した番組に対応する、アナログ信号である画像の信号をビデオＡ／Ｄ変換部３に供給する。
【００２０】
放送局から送信された番組は、コンテンツの一例である。コンテンツには、画像、または音声のほか、数値データ、またはプログラムなどが含まれる。また、コンテンツには、受信される番組のほか、記録されている画像または音声が含まれる。
【００２１】
なお、特に限定した場合を除き、画像には、動画像が含まれる。
【００２２】
オーディオＡ／Ｄ変換部２は、チューナ１から供給された、アナログ信号である音声の信号を、アナログ−デジタル変換し（量子化し）、音声の信号に対応する音声のデータを生成する。オーディオＡ／Ｄ変換部２は、生成した音声のデータをＭＰＥＧ（Ｍｏｖｉｎｇ　Ｐｉｃｔｕｒｅｓ　Ｅｘｐｅｒｔｓ　Ｇｒｏｕｐ）オーディオエンコーダ４およびオーディオＤ／Ａ（Ｄｉｇｉｔａｌ　ｔｏ　Ａｎａｌｏｇ）変換部１４に供給する。
【００２３】
ビデオＡ／Ｄ変換部３は、チューナ１から供給された、アナログ信号である画像の信号を、アナログ−デジタル変換し（量子化し）、画像の信号に対応する画像のデータを生成する。ビデオＡ／Ｄ変換部３は、生成した画像のデータをＭＰＥＧビデオエンコーダ５およびグラフィックチップ１５に供給する。
【００２４】
ＭＰＥＧオーディオエンコーダ４は、ＣＰＵ（Ｃｅｎｔｒａｌ　Ｐｒｏｃｅｓｓｉｎｇ　Ｕｎｉｔ）６の制御の基に、オーディオＡ／Ｄ変換部２から供給された音声のデータを、例えば、ＭＰ３（ＭＰＥＧ　１　Ａｕｄｉｏ　Ｌａｙｅｒ　３）、またはＡＣ−３（Ａｕｄｉｏ　Ｃｏｄｅ　Ｎｕｍｂｅｒ　３）などの方式で符号化し、符号化された音声のデータをマルチプレクサ９に供給する。すなわち、ＭＰＥＧオーディオエンコーダ４は、オーディオＡ／Ｄ変換部２から供給された、いわゆる、リニアな（圧縮されていない）音声のデータを、圧縮符号化し、より小さなデータに変換する。
【００２５】
音声の符号化方式は、本発明を限定するものではない。
【００２６】
ＭＰＥＧビデオエンコーダ５は、ＣＰＵ６の制御の基に、ビデオＡ／Ｄ変換部３から供給された画像のデータを、例えば、ＭＰＥＧ（Ｍｏｖｉｎｇ　Ｐｉｃｔｕｒｅｓ　Ｅｘｐｅｒｔｓ　Ｇｒｏｕｐ）−２、またはＭＰＥＧ−４などの方式で符号化し、符号化された画像のデータをマルチプレクサ９に供給する。すなわち、ＭＰＥＧビデオエンコーダ５は、ビデオＡ／Ｄ変換部３から供給された、無圧縮の画像のデータを、圧縮符号化し、より小さなデータに変換する。
【００２７】
画像の符号化方式は、本発明を限定するものではない。
【００２８】
ＣＰＵ６は、制御プログラムを実行して、録画再生装置全体を制御する。ＲＡＭ（Ｒａｎｄｏｍ−Ａｃｃｅｓｓ　Ｍｅｍｏｒｙ）７は、ＣＰＵ６の実行において使用するプログラムや、その実行において適宜変化するパラメータを格納する。ＲＯＭ（Ｒｅａｄ−ｏｎｌｙ　Ｍｅｍｏｒｙ）８は、一般的には、ＣＰＵ６が使用するプログラムや演算用のパラメータのうちの基本的に固定のデータを格納する。
【００２９】
ＣＰＵ６乃至ＲＯＭ８は、例えば、エンベデットコンピュータのように一体として設けても良く、または、それぞれ個別に設けるようにしても良い。
【００３０】
マルチプレクサ９は、ＭＰＥＧオーディオエンコーダ４から供給された、符号化されている音声のデータ、およびＭＰＥＧビデオエンコーダ５から供給された、符号化されている画像のデータを多重化して、多重化された音声のデータおよび画像のデータをハードディスクドライブ１０に供給する。
【００３１】
例えば、マルチプレクサ９は、符号化されている音声のデータおよび画像のデータを多重化してなる、プログラムストリーム、パケッタイズドエレメンタリストリーム、またはトランスポートストリームを生成し、生成されたプログラムストリーム、パケッタイズドエレメンタリストリーム、またはトランスポートストリームをハードディスクドライブ１０に供給する。
【００３２】
ハードディスクドライブ１０は、ＣＰＵ６の制御の基に、内蔵されているハードディスクを駆動して、マルチプレクサ９から供給された、多重化されている音声のデータおよび画像のデータを、ハードディスクに記録させる。ハードディスクドライブ１０は、ＣＰＵ６の制御の基に、内蔵されているハードディスクに記録されている、多重化されている音声のデータおよび画像のデータを読み出して、読み出した音声のデータおよび画像のデータをデマルチプレクサ１１に供給する。
【００３３】
デマルチプレクサ１１は、ハードディスクドライブ１０から供給された、多重化されている音声のデータおよび画像のデータから、音声のデータおよび画像のデータをそれぞれ分離して抽出し、分離された音声のデータをＭＰＥＧオーディオデコーダ１２に供給すると共に、分離された画像のデータをＭＰＥＧビデオデコーダ１３に供給する。
【００３４】
例えば、デマルチプレクサ１１は、プログラムストリーム、パケッタイズドエレメンタリストリーム、またはトランスポートストリームから、音声のデータおよび画像のデータをそれぞれ分離して抽出し、分離された音声のデータをＭＰＥＧオーディオデコーダ１２に供給すると共に、分離された画像のデータをＭＰＥＧビデオデコーダ１３に供給する。
【００３５】
デマルチプレクサ１１からＭＰＥＧオーディオデコーダ１２に供給される音声のデータは、ＭＰ３方式など、所定の方式で符号化されている。デマルチプレクサ１１からＭＰＥＧビデオデコーダ１３に供給に供給される画像のデータは、ＭＰＥＧ−２方式など、所定の方式で符号化されている。
【００３６】
ＭＰＥＧオーディオデコーダ１２は、デマルチプレクサ１１から供給された音声のデータを復号して、復号により、無圧縮とされた音声のデータをオーディオＤ／Ａ変換部１４に供給する。
【００３７】
ＭＰＥＧビデオデコーダ１３は、デマルチプレクサ１１から供給された画像のデータを復号して、復号により、無圧縮とされた画像のデータをグラフィックチップ１５に供給する。
【００３８】
オーディオＤ／Ａ変換部１４は、オーディオＡ／Ｄ変換部２から供給された音声のデータ、またはＭＰＥＧオーディオデコーダ１２から供給された音声のデータを、アナログの音声の信号に変換し、変換して得られたアナログの音声の信号を出力する。音声の信号は、図示せぬラウドスピーカに供給され、ラウドスピーカから音声が出力される。
【００３９】
グラフィックチップ１５は、画像またはテキストのイメージの描画を制御するための画像処理用ＩＣ（Ｉｎｔｅｇｒａｔｅｄ　Ｃｉｒｃｕｉｔ）、いわゆるグラフィックス制御チップであって、ＣＰＵ６の制御の基に、ビデオＡ／Ｄ変換部３から供給された画像のデータ、ＭＰＥＧビデオデコーダ１３から供給された画像のデータ、および静止画像処理部１７のＪＰＥＧ（Ｊｏｉｎｔ　Ｐｈｏｔｏｇｒａｐｈｉｃ　Ｅｘｐｅｒｔｓ　Ｇｒｏｕｐ）デコーダ１９から供給された静止画像のデータを合成して、所定の画像のデータを生成し、生成された画像のデータをビデオＤ／Ａ変換部１６に供給する。
【００４０】
例えば、グラフィックチップ１５は、ＣＰＵ６の制御の基に、ビデオＡ／Ｄ変換部３から供給された画像のデータを、そのまま、ビデオＤ／Ａ変換部１６に供給する。また、グラフィックチップ１５は、ＣＰＵ６の制御の基に、ビデオＡ／Ｄ変換部３から供給された画像のデータ、およびＭＰＥＧビデオデコーダ１３から供給された画像のデータを組み合わせた画像のデータを生成して、生成された画像のデータをビデオＤ／Ａ変換部１６に供給する。
【００４１】
また、例えば、グラフィックチップ１５は、ＣＰＵ６の制御の基に、ビデオＡ／Ｄ変換部３から供給された画像のデータ、またはＭＰＥＧビデオデコーダ１３から供給された画像のデータに、ＪＰＥＧデコーダ１９から供給された静止画像のデータを組み合わせて動画像と静止画像とからなる画像のデータを生成して、生成された画像のデータをビデオＤ／Ａ変換部１６に供給する。
【００４２】
さらに、例えば、グラフィックチップ１５は、ＣＰＵ６の制御の基に、ＪＰＥＧデコーダ１９から供給された静止画像のデータを組み合わせて静止画像からなる画像のデータを生成して、生成された画像のデータをビデオＤ／Ａ変換部１６に供給する。
【００４３】
また、グラフィックチップ１５は、ＣＰＵ６から供給されたデータを基に、例えば、カーソルに対応する、ジャンルの選択または静止画像の選択を示す画像のデータを生成して、生成された画像のデータをビデオＤ／Ａ変換部１６に供給する。
【００４４】
加えて、グラフィックチップ１５は、ＣＰＵ６の制御の基に、ＭＰＥＧビデオデコーダ１３から供給された画像のデータのうちの所定のフレームのデータを、グラフィックチップ１５に内蔵されている、フレームメモリなどの半導体メモリに記憶する。すなわち、グラフィックチップ１５は、ＣＰＵ６の制御の基に、静止画像のデータとして、ＭＰＥＧビデオデコーダ１３から供給された画像のデータに対応するフレームのデータを半導体メモリに記憶する。
【００４５】
グラフィックチップ１５は、ＣＰＵ６の制御の基に、半導体メモリに記憶されている静止画像のデータを、静止画像処理部１７のＪＰＥＧエンコーダ１８に供給する。
【００４６】
ビデオＤ／Ａ変換部１６は、グラフィックチップ１５から供給された画像のデータを、アナログの画像の信号に変換し、変換して得られたアナログの画像の信号を出力する。画像の信号は、図示せぬディスプレイに供給され、ディスプレイに画像が表示される。
【００４７】
静止画像処理部１７は、ＪＰＥＧエンコーダ１８およびＪＰＥＧデコーダ１９を含み、ＣＰＵ６の制御の基に、静止画像のデータを符号化するか、または符号化されている静止画像のデータを復号する。
【００４８】
ＪＰＥＧエンコーダ１８は、ＣＰＵ６の制御の基に、グラフィックチップ１５の半導体メモリに記憶され、グラフィックチップ１５から供給された静止画像のデータを、例えば、ＪＰＥＧ方式で符号化し、符号化された静止画像のデータをハードディスクドライブ１０に供給する。
【００４９】
静止画像の符号化の方式は、ＧＩＦ（Ｇｒａｐｈｉｃｓ　Ｉｎｔｅｒｃｈａｎｇｅ　Ｆｏｒｍａｔ）、またはＴＩＦＦ（Ｔａｇｇｅｄ　Ｉｍａｇｅ　Ｆｉｌｅ　Ｆｏｒｍａｔ）などであっても良く、本発明を限定するものではない。
【００５０】
ハードディスクドライブ１０は、ＣＰＵ６の制御の基に、ＪＰＥＧエンコーダ１８から供給された、符号化されている静止画像のデータを所定の領域に記録する。ハードディスクドライブ１０は、ＣＰＵ６の制御の基に、記録されている静止画像のデータを読み出し、読み出した静止画像のデータをＪＰＥＧデコーダ１９に供給する。
【００５１】
ＪＰＥＧデコーダ１９に供給される、静止画像のデータは、例えば、ＪＰＥＧ方式で符号化されている。
【００５２】
ＪＰＥＧデコーダ１９は、ハードディスクドライブ１０から供給された、静止画像のデータを復号して、復号された静止画像のデータをグラフィックチップ１５に供給する。
【００５３】
リモートコントローラ受光部２０は、図示せぬリモートコントローラから送信された赤外線を受光する。リモートコントローラにより発光される赤外線は、所定のコマンドに対応する。リモートコントローラ受光部２０は、受光した赤外線のコマンドに対応する信号をＣＰＵ６に供給する。例えば、リモートコントローラ受光部２０は、受光した赤外線の点滅パターンを基に、点滅パターンに対応するコマンド（例えば、カーソルの移動、または決定など）を特定し、コマンドの内容を示す信号をＣＰＵ６に供給する。
【００５４】
ドライブ２１は、装着されている磁気ディスク４１、光ディスク４２、光磁気ディスク４３、または半導体メモリ４４から、記録されているプログラムまたはコンテンツを読み出して、読み出したプログラムまたはコンテンツをＣＰＵ６またはＲＡＭ７に供給する。
【００５５】
図３は、制御プログラムを実行するＣＰＵ６による、ハードディスクドライブ１０に記録されている画像から静止画像を生成するキャプチャの処理を説明するフローチャートである。
【００５６】
ステップＳ１１において、制御プログラムは、ハードディスクドライブ１０に画像を記録しながら、画像を表示する。
【００５７】
より詳細には、ビデオＡ／Ｄ変換部３は、チューナ１から供給された画像の信号に、Ａ／Ｄ変換を適用して、画像のデータを生成し、画像のデータをＭＰＥＧビデオエンコーダ５およびグラフィックチップ１５に供給する。制御プログラムは、ＭＰＥＧビデオエンコーダ５に、画像のデータを符号化させ、符号化された画像のデータをマルチプレクサ９に供給させる。
【００５８】
マルチプレクサ９は、ＭＰＥＧビデオエンコーダ５から供給された画像のデータを、ＭＰＥＧオーディオエンコーダ４から供給された音声のデータと多重化し、多重化された画像のデータおよび音声のデータをハードディスクドライブ１０に供給する。
【００５９】
制御プログラムは、ハードディスクドライブ１０に、多重化された画像のデータおよび音声のデータを記録させる。
【００６０】
制御プログラムは、グラフィックチップ１５に、ビデオＡ／Ｄ変換部３から供給された画像のデータをそのまま、ビデオＤ／Ａ変換部１６に供給させる。ビデオＤ／Ａ変換部１６は、グラフィックチップ１５から供給された画像のデータを、アナログの画像の信号に変換して、アナログの画像の信号を出力し、図示せぬディスプレイに画像を表示させる。
【００６１】
ステップＳ１２において、制御プログラムは、リモートコントローラ受光部２０から供給される信号、またはスイッチ若しくはタッチパネルなどを有する図示せぬ入力部から供給される信号を基に、リモートコントローラ上のキャプチャボタン、または入力部のキャプチャボタンの操作に対応する信号を取得する。ステップＳ１２の処理で取得される信号は、キャプチャボタンが押圧されたことを示す信号、またはキャプチャボタンが押圧されていないことを示す信号のいずれか一方である。
【００６２】
ステップＳ１３において、制御プログラムは、ステップＳ１２の処理で取得した信号を基に、キャプチャボタンが押圧されたか否かを判定し、キャプチャボタンが押圧されていないと判定された場合、ステップＳ１２に戻り、キャプチャボタンが押圧されるまで、判定の処理を繰り返す。
【００６３】
ステップＳ１３において、キャプチャボタンが押圧されたと判定された場合、ステップＳ１４に進み、制御プログラムは、キャプチャボタンが押圧された、表示されている画像上の時刻を取得する。制御プログラムは、取得した時刻をＲＡＭ７またはハードディスクドライブ１０に記録する。
【００６４】
記録している画像に対応する画像上の時刻は、図示せぬリアルタイムクロックから供給される時刻を基に取得される。また、記録されている画像に対応する画像上の時刻は、例えば、ＭＰＥＧ方式のデータのヘッダに格納されている時刻のデータから取得される。
【００６５】
ステップＳ１５において、制御プログラムは、ステップＳ１４の処理で取得した時刻に対応する画像をキャプチャする。すなわち、制御プログラムは、グラフィックチップ１５に、ステップＳ１４の処理で取得した時刻における、画像のフレームのデータを、グラフィックチップ１５の内部のメモリに記憶させる。
【００６６】
ステップＳ１６において、制御プログラムは、ステップＳ１５の処理でキャプチャした画像を表示する。
【００６７】
すなわち、制御プログラムは、グラフィックチップ１５に、内部のメモリに記憶されている画像のフレームのデータを、ビデオＤ／Ａ変換部１６に供給させる。ビデオＤ／Ａ変換部１６は、グラフィックチップ１５から供給された画像のフレームのデータを、アナログの画像の信号に変換して、アナログの画像の信号を出力し、図示せぬディスプレイに画像を表示させる。従って、ディスプレイには、キャプチャボタンが押圧された時刻における画像の１つのフレーム、すなわち静止画像が表示されることになる。
【００６８】
ステップＳ１７において、制御プログラムは、リモートコントローラ受光部２０から供給される信号、または図示せぬ入力部から供給される信号を基に、表示されている静止画像に決定するか否かを判定する。ステップＳ１７において、表示されている静止画像に決定すると判定された場合、ステップＳ１８に進み、制御プログラムは、静止画像を保存して、ステップＳ１２に戻り、処理を繰り返す。
【００６９】
すなわち、制御プログラムは、グラフィックチップ１５に、内部のメモリに記憶されている画像のフレームのデータをＪＰＥＧエンコーダ１８に供給させる。制御プログラムは、ＪＰＥＧエンコーダ１８に、画像のフレームのデータを、例えば、ＪＰＥＧなどの静止画像の符号化方式で符号化させ、静止画像のデータを生成させる。制御プログラムは、生成された静止画像のデータをハードディスクドライブ１０の所定の領域に記録させる。
【００７０】
例えば、制御プログラムは、最初にキャプチャされた静止画像にイメージ１と名前を付して、ハードディスクドライブ１０の所定のフォルダに保存する。制御プログラムは、２番目にキャプチャされた静止画像にイメージ２と名前を付して、ハードディスクドライブ１０の所定のフォルダに保存する。
【００７１】
このように、制御プログラムは、キャプチャされた静止画像に所定の名前を付して、ハードディスクドライブ１０の所定のフォルダに保存する。
【００７２】
ステップＳ１７において、表示されている静止画像に決定しないと判定された場合、ステップＳ１９に進み、キャプチャする画像の時刻の調整の処理を実行して、ステップＳ１５に戻り、キャプチャの処理、および画像の表示の処理を繰り返す。
【００７３】
キャプチャの処理は、ステップＳ１１における画像の表示の処理が終了したとき、終了する。
【００７４】
なお、既に記録されている画像を表示して、表示している画像をキャプチャするようにしてもよい。
【００７５】
図４は、ステップＳ１９のキャプチャする画像の時刻の調整の処理の詳細を説明するフローチャートである。
【００７６】
ステップＳ３１において、制御プログラムは、リモートコントローラ受光部２０から供給される信号、または図示せぬ入力部から供給される信号を基に、リモートコントローラ上のボタン、または入力部のボタンの操作に対応する信号を取得する。
【００７７】
ステップＳ３２において、制御プログラムは、ステップＳ３１の処理で取得された信号を基に、継続してボタンが押圧されている時間を求める。
【００７８】
ステップＳ３３において、制御プログラムは、押圧されているボタンと、ステップＳ３２の処理で求められた、継続して押圧されている時間とに対応する画像の時刻を求めて、処理は終了する。
【００７９】
このように、押圧されているボタンと、継続して押圧されている時間とに対応する画像の時刻とに対応する画像の時刻が算出され、算出された時刻に基づいて、画像がキャプチャされ、表示される。
【００８０】
図３のステップＳ１５およびステップＳ１６の処理により、算出された画像の時刻に対応する画像がキャプチャされ、表示されることになる。
【００８１】
算出された画像の時刻に対応する画像が、ステップＳ１５およびステップＳ１６の処理により、キャプチャされるとき、制御プログラムは、ハードディスクドライブ１０に、画像のデータを読み出させ、ＭＰＥＧビデオデコーダ１３に、読み出した画像のデータを復号させて、復号された画像のデータを基に、算出された画像の時刻に対応する画像をキャプチャして、表示する。
【００８２】
次に、ステップＳ３３における処理の具体例について説明する。
【００８３】
例えば、図５に示すように、リモートコントローラの所定の右側のボタンが１秒間押圧されたとき、制御プログラムは、ステップＳ３３の処理において、０．５秒先の時刻を求める。この場合、ステップＳ１５およびステップＳ１６の処理において、０．５秒先の画像がキャプチャされて、表示される。
【００８４】
また、制御プログラムは、ステップＳ３３の処理において、右側のボタンが２秒間押圧されたとき、制御プログラムは、右側のボタンが１秒間押圧された時点において、現在の時刻を基準に、０．５秒先の時刻を求め、右側のボタンがさらに１秒間押圧された時点において、さらに、０．５秒先の時刻を基準に、０．５×２の演算により１．０秒先の時刻を求める。従って、右側のボタンが２秒間押圧されたとき、ステップＳ１５およびステップＳ１６の処理において、現在の時刻を基準にすると、０．５秒先の画像がキャプチャされて、表示され、その後、さらに１．５秒先の画像がキャプチャされて、表示される。
【００８５】
さらに、また、制御プログラムは、ステップＳ３３の処理において、右側のボタンが３秒間押圧されたとき、制御プログラムは、右側のボタンが１秒間押圧された時点において、現在の時刻を基準に、０．５秒先の時刻を求め、右側のボタンがさらに１秒間押圧された時点において、さらに、０．５秒先の時刻を基準に、０．５×２の演算により１．０秒先の時刻を求め、右側のボタンがさらに１秒間押圧された時点において、さらに、１．５秒先の時刻を基準に、１．０×２の演算により２．０秒先の時刻を求める。従って、右側のボタンが３秒間押圧されたとき、ステップＳ１５およびステップＳ１６の処理において、現在の時刻を基準にすると、０．５秒先の画像がキャプチャされて、表示され、その後、さらに１．５秒先の画像がキャプチャされて、表示され、さらにまた、３．５秒先の画像がキャプチャされ、表示される。
【００８６】
一方、右側のボタンに対応する、リモートコントローラの所定の左側のボタンが１秒間押圧されたとき、制御プログラムは、ステップＳ３３の処理において、０．５秒前の時刻を求める。この場合、ステップＳ１５およびステップＳ１６の処理において、０．５秒前の画像がキャプチャされて、表示される。
【００８７】
また、制御プログラムは、ステップＳ３３の処理において、左側のボタンが２秒間押圧されたとき、制御プログラムは、左側のボタンが１秒間押圧された時点において、現在の時刻を基準に、０．５秒前の時刻を求め、左側のボタンがさらに１秒間押圧された時点において、さらに、０．５秒前の時刻を基準に、０．５×２の演算により１．０秒前の時刻を求める。従って、左側のボタンが２秒間押圧されたとき、ステップＳ１５およびステップＳ１６の処理において、現在の時刻を基準にすると、０．５秒前の画像がキャプチャされて、表示され、その後、さらに１．５秒前の画像がキャプチャされて、表示される。
【００８８】
さらに、また、制御プログラムは、ステップＳ３３の処理において、左側のボタンが３秒間押圧されたとき、制御プログラムは、左側のボタンが１秒間押圧された時点において、現在の時刻を基準に、０．５秒前の時刻を求め、左側のボタンがさらに１秒間押圧された時点において、さらに、０．５秒前の時刻を基準に、０．５×２の演算により１．０秒前の時刻を求め、左側のボタンがさらに１秒間押圧された時点において、さらに、１．５秒前の時刻を基準に、１．０×２の演算により２．０秒前の時刻を求める。従って、左側のボタンが３秒間押圧されたとき、ステップＳ１５およびステップＳ１６の処理において、現在の時刻を基準にすると、０．５秒前の画像がキャプチャされて、表示され、その後、さらに１．５秒前の画像がキャプチャされて、表示され、さらにまた、３．５秒前の画像がキャプチャされ、表示される。
【００８９】
図６は、ボタンが押圧され続けた時間と、加算される画像の時刻との関係を示す図である。
【００９０】
図６において、プラスの時刻は、現在より先（後）の時刻を示し、マイナスの時刻は、現在より過去（前）の時刻を示す。
【００９１】
右側のボタンが１秒間押され続けたとき、キャプチャされる画像の時刻に＋０．５秒が加算され、現在より、０．５秒後の画像が、キャプチャされて、表示される。
【００９２】
右側のボタンが２秒間押され続けた場合、右側のボタンが１秒間押され続けた時点で、キャプチャされる画像の時刻に＋０．５秒が加算され、現在より、０．５秒後の画像が、キャプチャされて、表示され、右側のボタンが２秒間押され続けた時点で、キャプチャされる画像の時刻にさらに＋１．０秒が加算され、元の画像の時刻に対して、１．５秒後の画像が、キャプチャされて、表示される。
【００９３】
右側のボタンが３秒間押され続けた場合、右側のボタンが１秒間押され続けた時点で、キャプチャされる画像の時刻に＋０．５秒が加算され、現在より、０．５秒後の画像が、キャプチャされて、表示され、右側のボタンが２秒間押され続けた時点で、キャプチャされる画像の時刻にさらに＋１．０秒が加算され、元の画像の時刻に対して、１．５秒後の画像が、キャプチャされて、表示される。右側のボタンが３秒間押され続けた時点で、キャプチャされる画像の時刻にさらに＋２．０秒が加算され、元の画像の時刻に対して、３．５秒後の画像が、キャプチャされて、表示される。
【００９４】
左側のボタンが１秒間押され続けたとき、キャプチャされる画像の時刻に−０．５秒が加算され、現在より、０．５秒前の画像が、キャプチャされて、表示される。
【００９５】
左側のボタンが２秒間押され続けた場合、左側のボタンが１秒間押され続けた時点で、キャプチャされる画像の時刻に−０．５秒が加算され、現在より、０．５秒前の画像が、キャプチャされて、表示され、左側のボタンが２秒間押され続けた時点で、キャプチャされる画像の時刻にさらに−１．０秒が加算され、元の画像の時刻に対して、１．５秒前の画像が、キャプチャされて、表示される。
【００９６】
左側のボタンが３秒間押され続けた場合、左側のボタンが１秒間押され続けた時点で、キャプチャされる画像の時刻に−０．５秒が加算され、現在より、０．５秒前の画像が、キャプチャされて、表示され、左側のボタンが２秒間押され続けた時点で、キャプチャされる画像の時刻にさらに−１．０秒が加算され、元の画像の時刻に対して、１．５秒前の画像が、キャプチャされて、表示される。左側のボタンが３秒間押され続けた時点で、キャプチャされる画像の時刻にさらに−２．０秒が加算され、元の画像の時刻に対して、３．５秒前の画像が、キャプチャされて、表示される。
【００９７】
このように、右側のボタンまたは左側のボタンをしばらく押圧し続けたとき、押圧し続けた時間に対応して、キャプチャされる画像の時刻が調整され、押圧し続けた時間に対応した、時刻の画像がキャプチャされて、表示される。
【００９８】
ボタンを押圧し続けた場合に加算する時刻の絶対値の最大値は、予め決定される。例えば、画像の長さの１０分の１の長さを、加算する時刻の絶対値の最大値として動作が制限される。
【００９９】
ここでは、１秒間をボタンを押圧する単位として説明しているが、１秒に限定する必要はなく、例えば、０．５秒、または０．２秒など、使用者がスムーズに操作できる時間を単位とすることができる。
【０１００】
以上のように、キャプチャされる画像の時刻が調整されることにより、微妙な時刻の調整と、大雑把な時刻の調整とがバランスよく実現できる。すなわち、より迅速に大雑把な時刻を調整し、より細かく微妙な時刻を調整することができるようになる。
【０１０１】
なお、より簡単に、右側のボタンを押圧すると、記録されている画像の長さの１００分の１の長さだけ先の時刻の画像をキャプチャして、表示し、左側のボタンを押圧すると、記録されている画像の長さの１００分の１の長さだけ前の時刻の画像をキャプチャして、表示するようにしてもよい。
【０１０２】
図７は、制御プログラムを実行するＣＰＵ６による、番組のジャンルに対応した静止画像の設定の処理を説明するフローチャートである。
【０１０３】
ステップＳ５１において、制御プログラムは、キャプチャされた静止画像を表示する。
【０１０４】
すなわち、図８に示すように、制御プログラムは、ハードディスクドライブ１０に、キャプチャされた静止画像のデータを読み出させ、読み出させた静止画像のデータをＪＰＥＧデコーダ１９に供給させる。制御プログラムは、ＪＰＥＧデコーダ１９に、静止画像のデータを復号させ、復号された静止画像のデータをグラフィックチップ１５に供給させる。制御プログラムは、グラフィックチップ１５に、ＪＰＥＧデコーダ１９から供給された、復号された静止画像のデータをそのまま、ビデオＤ／Ａ変換部１６に供給させる。ビデオＤ／Ａ変換部１６は、静止画像のデータを、静止画像の信号に変換して、ディスプレイに出力し、ディスプレイに静止画像を表示させる。
【０１０５】
最終的に、制御プログラムは、図９に示すように、例えば、ＥＰＧサムネイル選択画面に、キャプチャされた静止画像を表示させる。
【０１０６】
使用者は、このＥＰＧサムネイル選択画面から、ジャンルおよび静止画像を選択し、選択された静止画像は、そのジャンルを代表する静止画像として登録される。
【０１０７】
すなわち、ステップＳ５２において、制御プログラムは、リモートコントローラ受光部２０または入力部からの信号を基に、ジャンルが選択されたか否かを判定し、ジャンルが選択されていないと判定された場合、ジャンルが選択されるまで、ステップＳ５２の判定の処理が繰り返される。
【０１０８】
ここで、画像のジャンルには、例えば、ニュース、映画、野球、天気、サッカー、またはドキュメントなどが該当し、画像のジャンルは、画像の分類に対応した画像の特徴を示す。本発明において、コンテンツのジャンルとは、コンテンツの分類に対応したコンテンツの特徴をいう。
【０１０９】
より具体的には、例えば、制御プログラムは、図９に示すＥＰＧサムネイル選択画面において、リモートコントローラの所定の右側または左側のボタンが押圧されたとき、ジャンルを選択するためのカーソルを移動させる。
【０１１０】
制御プログラムは、ＥＰＧサムネイル選択画面において、リモートコントローラの所定の上側または下側のボタンが押圧されたとき、カーソルで選択されているジャンルを変更する。例えば、カーソルで選択されているジャンルが野球である場合、制御プログラムは、リモートコントローラの上側のボタンが押圧されたとき、カーソルで選択されているジャンルをサッカーに変更する。例えば、カーソルで選択されているジャンルがサッカーである場合、制御プログラムは、リモートコントローラの上側のボタンが押圧されたとき、カーソルで選択されているジャンルを映画に変更する。
【０１１１】
ステップＳ５２において、制御プログラムは、リモートコントローラの所定の決定ボタンが押圧されたとき、カーソルで選択されているジャンルが選択されたと判定する。
【０１１２】
ステップＳ５２において、ジャンルが選択されたと判定された場合、ステップＳ５３に進み、制御プログラムは、リモートコントローラ受光部２０または入力部からの信号を基に、静止画像が選択されたか否か判定し、静止画像が選択されていないと判定された場合、静止画像が選択されるまで、ステップＳ５３の判定の処理が繰り返される。
【０１１３】
ステップＳ５３において、静止画像が選択されたと判定された場合、ステップＳ５４に進み、制御プログラムは、ステップＳ５２の処理で選択されたと判定されたジャンルに対応して、ステップＳ５３の処理で選択されたと判定された静止画像を設定し、処理は終了する。
【０１１４】
より具体的には、例えば、制御プログラムは、図９に示すＥＰＧサムネイル選択画面において、リモートコントローラの所定の右側または左側のボタンが押圧されたとき、静止画像を選択するためのカーソルを移動させる。
【０１１５】
制御プログラムは、ＥＰＧサムネイル選択画面において、リモートコントローラの所定の上側または下側のボタンが押圧されたとき、カーソルで選択されている静止画像を変更する。例えば、カーソルで選択されている静止画像が最初にキャプチャされたイメージ１である場合、制御プログラムは、リモートコントローラの上側のボタンが押圧されたとき、カーソルで選択されている静止画像を２番目にキャプチャされたイメージ２に変更する。例えば、カーソルで選択されている静止画像が２番目にキャプチャされたイメージ２である場合、制御プログラムは、リモートコントローラの上側のボタンが押圧されたとき、カーソルで選択されている静止画像を３番目にキャプチャされたイメージ３に変更する。
【０１１６】
ステップＳ５３において、制御プログラムは、リモートコントローラの所定の決定ボタンが押圧されたとき、カーソルで選択されている静止画像が選択されたと判定する。
【０１１７】
ステップＳ５４の処理において、制御プログラムは、ジャンルに対応する静止画像の設定を示すデータをハードディスクドライブ１０に記録する。例えば、ニュースのジャンルに対応して、イメージ１の静止画像が設定され、映画のジャンルに対応して、イメージ８の静止画像が設定され、野球のジャンルに対応して、イメージ３の静止画像が設定されているとき、制御プログラムは、図１０に示すように、ニュースに対応して、イメージ１の名称を示し、映画に対応して、イメージ８の名称を示し、野球に対応して、イメージ３の名称を示すデータをハードディスクドライブ１０に記録する。
【０１１８】
このように、使用者の操作に対応して、ジャンルに対応した静止画像が設定される。
【０１１９】
次に、図１１のフローチャートを参照して、制御プログラムを実行するＣＰＵ６による、ＥＰＧの表示の処理を説明する。
【０１２０】
ステップＳ７１において、制御プログラムは、グラフィックチップ１５に、番組の内容を示すデータを表示させる。
【０１２１】
例えば、制御プログラムは、ハードディスクドライブ１０またはＲＡＭ７に記録されているＥＰＧのデータをグラフィックチップ１５に供給する。制御プログラムは、グラフィックチップ１５に、ＥＰＧのデータをビデオＤ／Ａ変換部１６に供給させる。ビデオＤ／Ａ変換部１６は、グラフィックチップ１５から供給されたＥＰＧのデータを基に、番組の内容を示すデータの表示を含むＥＰＧの画面をディスプレイに表示させる。
【０１２２】
ステップＳ７２において、制御プログラムは、ＥＰＧのデータに含まれる番組の内容を示すデータから、番組のジャンルを取得する。例えば、番組のジャンルは、ニュース、映画、野球、天気、サッカー、またはドキュメントなどのうちの１つである。
【０１２３】
ステップＳ７３において、制御プログラムは、ステップＳ７２の処理で取得した番組のジャンル、およびステップＳ５４の処理で設定した、ジャンルに対応する画像を基に、番組に対応させて、グラフィックチップ１５に、ジャンルに対応する静止画像を表示させて、処理は終了する。
【０１２４】
より詳細に説明すれば、制御プログラムは、ハードディスクドライブ１０に記録されているジャンルに対応する静止画像の設定を示すデータを基に、取得した番組のジャンルに対応して設定されている静止画像の名称を取得する。例えば、野球に対応した、イメージ３の名称を示すデータがハードディスクドライブ１０に記録されている場合、制御プログラムは、番組のジャンルが野球であるとき、ハードディスクドライブ１０に、イメージ３の名称の静止画像のデータを読み出させる。読み出した静止画像は、符号化されているので、制御プログラムは、読み出した静止画像のデータを、ＪＰＥＧデコーダ１９に復号させる。復号された静止画像のデータは、グラフィックチップ１５に供給される。
【０１２５】
制御プログラムは、グラフィックチップ１５に、ＥＰＧの番組の内容を示すデータに対応させるように、イメージ３の名称の静止画像のデータを合成させ、合成された画像のデータをビデオＤ／Ａ変換部１６に供給させる。ビデオＤ／Ａ変換部１６は、番組の内容を示すデータに対応して、イメージ３の名称の静止画像が合成された、ＥＰＧをディスプレイに表示させる。
【０１２６】
このように、例えば、図１１に示すように、ＥＰＧにおいて、番組欄に、番組のジャンルに対応して設定された静止画像が表示される。
【０１２７】
その結果、番組のジャンルを色またはマークによって判断する負担がなくなり、使用者は、自分自身が選択した、番組欄の枠内の静止画像を見るだけで番組のジャンルを認識でき、判断が容易になる。
【０１２８】
さらに、使用者は、使用者の嗜好に応じた設定を実現できるようになる。例えば、使用者は、好みの静止画像を、ＥＰＧに、ジャンルに対応させて表示させることができるようになる。
【０１２９】
なお、録画再生装置は、静止画像を番組欄の中に配置すると説明したが、これに限らず、使用者が認識しやすい場所であれば、画面のどの位置であってもよい。例えば、ＥＰＧの画面において、番組欄を選択したとき、番組のジャンルに対応して設定された静止画像が、壁紙に表示されるようにしてもよい。
【０１３０】
このように、本発明に係る録画再生装置は、ＥＰＧにおいて、番組のジャンルに対応した静止画像を表示することができる。これにより、ＥＰＧのラジオ／テレビジョン番組情報を表示すると、番組欄または壁紙等に、その番組のジャンルを表す静止画像が表示され、番組欄の内容をいちいち読まなくとも番組のジャンルを知ることができるようになる。
【０１３１】
以上のように、コンテンツの内容を示すデータを表示するようにした場合には、使用者は、コンテンツの内容を知ることができる。
【０１３２】
また、動画像から静止画像を生成し、コンテンツのジャンルに対応させて、生成した静止画像を設定し、コンテンツの内容を示すデータを表示する場合、データに対応させて、コンテンツのジャンルに対応して設定されている静止画像を表示するように表示を制御するようにした場合には、使用者が、簡単かつ確実に、コンテンツのジャンルを判断できるようになる。
【０１３３】
なお、録画再生装置は、テレビジョン放送のＥＰＧに限らず、ラジオ放送のＥＰＧを表示するようにしてもよい。
【０１３４】
また、録画再生装置は、放送される番組の番組欄に対応して静止画像を表示すると説明したが、例えば、ハードディスクドライブ１０、光ディスク４２、光磁気ディスク４３、または半導体メモリ４４などのコンテンツ記録媒体に記録されているコンテンツの内容を表示するとき、そのコンテンツのジャンルに対応して、所定の静止画像を表示するようにしてもよい。
【０１３５】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１３６】
この記録媒体は、図２に示すように、コンピュータとは別に、ユーザにプログラムを提供するために配布される、プログラムが記録されている磁気ディスク４１（フレキシブルディスクを含む）、光ディスク４２（ＣＤ−ＲＯＭ（Ｃｏｍｐａｃｔ　Ｄｉｓｃ−Ｒｅａｄ　Ｏｎｌｙ　Ｍｅｍｏｒｙ）、ＤＶＤ（Ｄｉｇｉｔａｌ　Ｖｅｒｓａｔｉｌｅ　Ｄｉｓｃ）を含む）、光磁気ディスク４３（ＭＤ（Ｍｉｎｉ−Ｄｉｓｃ）（商標）を含む）、若しくは半導体メモリ４４などよりなるパッケージメディアにより構成されるだけでなく、コンピュータに予め組み込まれた状態でユーザに提供される、プログラムが記録されているＲＯＭ８や、ハードディスクドライブ１０などで構成される。
【０１３７】
なお、上述した一連の処理を実行させるプログラムは、必要に応じてルータ、モデムなどのインタフェースを介して、ローカルエリアネットワーク、インターネット、デジタル衛星放送といった、有線または無線の通信媒体を介してコンピュータにインストールされるようにしてもよい。
【０１３８】
また、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１３９】
なお、本明細書において、システムとは、複数の装置により構成される装置全体を表すものである。
【０１４０】
【発明の効果】
以上のように、本発明によれば、使用者は、コンテンツの内容を知ることができる。
【０１４１】
また、本発明によれば、使用者が、簡単かつ確実に、コンテンツのジャンルを判断できるようになる。
【図面の簡単な説明】
【図１】従来のＥＰＧの表示を示す図である。
【図２】本発明に係る録画再生装置の一実施の形態の構成を示す図である。
【図３】キャプチャの処理を説明するフローチャートである。
【図４】画像の時刻の調整の処理の詳細を説明するフローチャートである。
【図５】時刻の調整の処理を説明する図である。
【図６】ボタンが押圧され続けた時間と、加算される画像の時刻との関係を示す図である。
【図７】番組のジャンルに対応した静止画像の設定の処理を説明するフローチャートである。
【図８】静止画像の表示を説明する図である。
【図９】ＥＰＧサムネイル選択画面の例を示す図である。
【図１０】ジャンルに対応する静止画像の設定を示すデータの例を示す図である。
【図１１】ＥＰＧの表示の処理を説明するフローチャートである。
【図１２】表示されたＥＰＧの例を示す図である。
【符号の説明】
１　チューナ，　３　ビデオＡ／Ｄ変換部，　５　ＭＰＥＧビデオエンコーダ，　６ＣＰＵ，　７　ＲＡＭ，　８　ＲＯＭ，　１０　ハードディスクドライブ，　１３　ＭＰＥＧビデオデコーダ，　１５　グラフィックチップ，　１８　ＪＰＥＧエンコーダ，　１９　ＪＰＥＧデコーダ，　４１　磁気ディスク，　４２　光ディスク，　４３　光磁気ディスク，　４４　半導体メモリ
【図１】
2004080572.tif 000003
【図２】
2004080572.tif 000004
【図３】
2004080572.tif 000005
【図４】
2004080572.tif 000006
【図５】
2004080572.tif 000007
【図６】
2004080572.tif 000008
【図７】
2004080572.tif 000009
【図８】
2004080572.tif 000010
【図９】
2004080572.tif 000011
【図１０】
2004080572.tif 000012
【図１１】
2004080572.tif 000013
【図１２】
2004080572.tif 000014